(57)【要約】  本発明は、垂直方向開口のある座席板（２）を有する子供用椅子（１）において使用するための取付け用ブラケットに関し、この取付け用ブラケットは、座席板（２）の下側に設置するための垂直方向の第１の開口（１１）を有するフレーム部品（１０）、座席板（２）の開口内に上方から導くための２個の平行な垂直方向の固定用ペグ（２１）を備えたライニングクリップ（２０）を備えることを特徴とし、固定用ペグ（２１）はフランジ（２２）により第１の端部において一緒に連結され、そして各固定用タップは他方の端部に水平方向のピン穴（２４）を有し、フランジ（２２）は座席板（２）の開口の開口面積より大きい水平方向の広さを有し、かつ固定用ペグ（２１）間の貫通した垂直方向の内側開口（２５）を有し、更に固定用ピン（３０）はライニングクリップ（２０）のピン穴（２４）内に導入する少なくも２個の平行なアーム（３１）を有し、アーム（３１）はピンの横方向部品（３２）により一緒に連結される。本発明は、ハーネスセット及びブラケットとハーネスセットの使用にも関する。
2009527319.tif 000002
【特許請求の範囲】
【請求項１】
垂直方向の開口のある座席板（２）を有する子供用椅子（１）に使用するために座席板（２）の下側設置するため垂直方向の第１の開口（１１）を有するフレーム部品（１０）を備えた取付け用ブラケットにおいて、
上方から座席板（２）の開口内に導くための２個の平行で垂直な固定用ペグ（２１）を有するライニングクリップ（２０）と、ライニングクリップ（２０）のピン穴（２４）内に導くための少なくも２個の平行なアーム（３１）を有する固定用ピン（３０）とを備え、前記固定用ペグ（２１）はフランジ（２２）に第１の端部で一緒に連結され、各固定用ペグは他方の端部に水平方向のピン穴（２４）を有し、フランジ（２２）は座板（２）の開口の開口面積より大きい水平方向の広がりを有し且つ固定用ペグ（２１）間の垂直方向の内側開口（２１）を有し、前記アーム（３１）がピンの横方向部分（３２）により一緒に連結されている
取付け用ブラケット。
【請求項２】
フレーム部品（１０）の第１の開口（１１）とライニングクリップ（２０）の内側開口（２５）との両者が、ハーネス（１００）の一部、好ましくはクローチストラップ（１０１）の通るのを許す請求項１による取付け用ブラケット。
【請求項３】
固定用ピン（３０）又はピンの横方向部分（３２）が、ハーネス（１００）の部分又はクローチストラップ（１０１）をブラケット（１０）に係留する請求項２による取付け用ブラケット。
【請求項４】
ハーネス（１００）の部分又はクローチストラップ（１０１）が横方向部分（３２）の回りで自由に伸びることができ、長さの調節ができる請求項３による取付け用ブラケット。
【請求項５】
フレーム部品（１０）が、別の縁の開口（１１２）、より好ましくは横方向の開口、更に好ましくは垂直方向の傾けられた開口を備える請求項１乃至４のいずれか１つによる取付け用ブラケット。
【請求項６】
取付け用ブラケットが椅子（１）に取り付けられたとき、縁の開口（１２）が座席板（２）の前面に突き出る請求項５による取付け用ブラケット。
【請求項７】
フレーム部品（１０）が、前の縁（１３）と後端部（１４）とを有する本質的に横長の形、好ましくは長方形を有する請求項１乃至６のいずれか１つによる取付け用ブラケット。
【請求項８】
第１の開口（１１）と前端部（１３）との間の距離が、第１の開口（１１）と後端部（１２）との間の距離より長く、かつ好ましくは前端部が縁の開口（１２）を有する請求項７による取付け用ブラケット。
【請求項９】
前端部（１３）が丸みを付けられ及び／又は後端部（１４）が端部に向かって減少する厚さを有する請求項７又は８による取付け用ブラケット。
【請求項１０】
フレーム部品（１０）の前端部が、フレームの中央部分に関して上側で厚さが減らされる請求項７乃至９のいずれか１つによる取付け用ブラケット。
【請求項１１】
フレーム部品の中央部分が、フレーム部品の厚さが減らされた区域に、ブラケットの前端部（１３）に向かう突起（１５）を有する請求項１０による取付け用ブラケット。
【請求項１２】
後ろ前に取り付けることができ、好ましくは取付け用ブラケットの部分が座席板（２）の前面に突き出ない請求項７乃至１１のいずれか１つによる取付け用ブラケット。
【請求項１３】
フレーム部品（１０）が凹所（１６）を備え、これが、ピン穴（２４）を通して取り付けられたときの固定用ピン（３０）の動きを止める請求項１乃至１２のいずれか１つによる取付け用ブラケット。
【請求項１４】
凹所（１６）が、アーム（３１）用の端部壁、又はピンの横方向部品（３４）又はアーム（２１）用の高い部分のための軌道、好ましくは端部壁を有する請求項１３による取付け用ブラケット。
【請求項１５】
ライニングクリップ（２０）の固定用ペグ（２１）が、第２の端部に拡大部（２３）、好ましくは横方向の拡大部を備える請求項１乃至１４のいずれか１つによる取付け用ブラケット。
【請求項１６】
拡大部（２３）が、フレーム部品（１０）の第１の開口（１１）を通して方向付けされ、そして前方部品をライニングクリップ（２０）にしっかり止めることができる請求項１５による取付け用ブラケット。
【請求項１７】
アーム（３１）及び／又は固定用ピン（３１）のピンの横方向部品（３４）が、固定用ピンをフレーム部品（１０）内に引き止め又は固定するための曲がり部分を備える請求項１乃至１６のいずれか１つによる取付け用ブラケット。
【請求項１８】
固定用ピン（３０）が、剛性がありかつ可撓性の材料、好ましくは金属、より好ましくは鋼で作られる請求項１乃至１７のいずれか１つによる取付け用ブラケット。
【請求項１９】
フレーム部品（１０）の縁の第２の開口（１２）が、弓形安全具（２００）、好ましくはクローチストラップ（２０１）の一部分を固定することを許す請求項５乃至１８のいずれか１つによる取付け用ブラケット。
【請求項２０】
フレーム部品（１０）の第１の開口（１１）及びライニングクリップ（２０）の内側開口（２５）が、弓形安全具（２００）、好ましくはクローチストラップ（２０１）の一部分の固定を許す請求項１乃至１９のいずれか１つによる取付け用ブラケット。
【請求項２１】
フレーム部品（１０）の第１の開口（１１）及びライニングクリップ（２０）の第２の開口（２５）が、ハーネス（１００）、好ましくはクローチストラップ（１０１）の一部分の係留を許す請求項１乃至２０のいずれか１つによる取付け用ブラケット。
【請求項２２】
座席板（２）及び背もたれを有する子供用椅子（１）用のハーネスセットであって、請求項１乃至２１のいずれか１つによるブラケット及びブラケットに係留し得るクローチストラップ（１０１）を備えた子供用ハーネスを具備したハーネスセット。
【請求項２３】
子供用ハーネス（１００）が、固定される子供用椅子（１）の背中支持具の少なくも１個の横方向部品（４）を回って伸びる少なくも１個のバックストラップ（１０２）を有する請求項２２によるハーネスセット。
【請求項２４】
弓形安全具（２００）を有する請求項２２又は２３によるハーネスセット。
【請求項２５】
トリップトラッパ（登録商標）椅子のような子供用椅子（１）においてハーネス（１００）及び／又は弓形安全具（２００）を取り付けるための請求項１乃至２１のいずれか１つによる取付け用ブラケット、又は請求項２２乃至２４のいずれか１つによるハーネスセットの使用。
【発明の詳細な説明】
【技術分野】
【０００１】
本発明は、座席板を有する子供用椅子のような椅子であって、座席板がその前方の縁に垂直方向の開口を有する椅子のための取付け用ブラケットに関する。本発明は、特に座席板の垂直方向及び水平方向の調節が可能な椅子に適している。更に、本発明は、子供用のハーネスセット及び取付け用ブラケットとハーネスセットの使用に関する。
【背景技術】
【０００２】
幼児、すなわち、一人で座れる子供（約６−７カ月）から子供用椅子に安全に座ることができる子供（約２歳）までの子供は、子供用椅子に安全に座っていることを確保するために安全ハーネスを必要とする。
【０００３】
乳母車に付属のハーネスのような普通のハーネスが多く使用される。乳母車の子供用椅子は、別に購入されることがある。新しい子供用椅子においては、ハーネスはアイ金具又は同等品のような一体化された固定用手段で座席の各側にストラップにより係留されることが多い。かかるハーネスは、椅子に一体化された固定用手段を必要とすること、及びハーネスの一方の側のストラップを他方より短くしなければならないため子供が上体を側方に回転することを邪魔するという欠点がある。ストラップのこの短い長さは子供を椅子に安全に座らせるがこれが子供の邪魔をしてイライラさせる。
【０００４】
近年、多くの国及び地域で子供用椅子及びハーネスのような子供の使用する用具に対して独自の安全基準を持つ傾向が広がってきた。これは、新しい子供用椅子の開発にあたり考慮しなければならないが、かかる安全対策に力を入れる以前に長期にわたり製造されてきた椅子に適合させることは困難である。椅子に物理的に介入することなしに、椅子にかかる改造を行うことは特に困難である。
【０００５】
これは、例えば、トリップトラッパ（登録商標）子供用椅子の場合であり、これは早くも１９７２年に開発され１９７６年に特許を取得し、かつ多くの国で今も非常に一般的な子供用椅子である。
【０００６】
椅子は子供の身体の大きさに応じて調整できるように設計され、このため、座席板と足板とを有し、後者は側方部品のトラック内を摺動し、そして側方部品間の距離を締めることにより種々の高さ位置に動かすことができる。座席板は、更に、座席支持具に対して座席板を押して深さ位置を調整することができ、そして子供に、太ももより下の正確な座り長さの椅子の使用を提供する。
【特許文献１】米国特願第２００２／００３６４１９号  明細書
【発明の開示】
【発明が解決しようとする課題】
【０００７】
特に上述の椅子の本来の機能を保つための新たな効果的な要求に現存の椅子を適合させることは困難であることが確かめられている。これを達成するために、子供用ハーネスの取付けは座席の高さ位置に追随できなければならない。
【０００８】
かかる椅子へのハーネスの取付けに加えて、単独で使用され又はハーネスと同時に使用される子供用弓形部品を取り付け得ることも望ましい。
【０００９】
古い椅子の所有者が自分の椅子を改良できるように、この追加の用具の取付け用手段を提供することが本発明の更なる目的である。説明されたように、部品のどれかに穴を空けたり又はネジを差し込むような椅子に物理的に手を加えることを避けることも目的である。かかる加工は、子供用の用具を使用しなくなったときに椅子に汚れた跡を残し、このような跡が見えるようになる。かかる改造は、更に使用者が誤った方法で改造し、安全が保たれない危険をもたらす。従って、子供用の用具の取付けをできるだけ直感的かつ簡単にすると同時に、安全を保持しかつ子供が自分で取付け具を操作することを防ぐことが本発明の目的である。
【００１０】
特許文献１は、座席の下側にネジで取り付けられた保持器により児童用の座席にハーネスを取り付けるためのシステムを示す。保持器は、マウントが導かれ、そしてマウントが保持器に取り付けられるようにして、クローチストラップが通る座席の開口に対応した垂直方向の開口を有している。この特許文献は保持器の跡が残らない取付け用手段については言及せず、かつ子供が下側より保持器からマウントを解放することができる。
【課題を解決するための手段】
【００１１】
これらの目的を達成するために、出願人は、上述の問題を解決する子供用用具の取付けのための取付け用ブラケットを開発した。ブラケットは、子供用椅子においての使用に特に適したハーネスの部分とすることができる。
【００１２】
ブラケットは座席板の下側に取り付けるためのフレーム部品から構成され、ライニングクリップが上側から座席板の開口を通して取り付けられ、子供用ハーネスの一部分がライニングの開口を通ることを許し、固定用ピンの助けによってフレーム部品に動かないようにハーネスをロックする。ブラケットは、弓形部品を座席板に固定するために少なくも１個の追加の取付け用手段を備える。
【００１３】
本発明は、取付け用ブラケット、ハーネスセット、及び請求項に従ったこれらの使用に関する。
【００１４】
本発明は実施例及び付属図面の助けにより以下に詳細に説明されるが、これは、特許請求の範囲により定められる本発明の範囲を限定することを意味しない。
【発明を実施するための最良の形態】
【００１５】
本発明による取付け用ブラケットは、以下の実施例においては、フレーム部品、ライニングクリップ、及び固定用ピンの３個の部品を備える。
【００１６】
図１において、フレーム部品１０が、上方から、即ちこれが座席板の下側に取り付けられる側から見た斜視図で示される。この実施例のフレーム部品１０は、後端部１４において厚さが薄くなっていく長方形であり、中央部に置かれた１個の垂直方向の第１の開口１１及びフレーム部品１０の前側の短い縁１３における垂直方向で傾いている第２の縁の開口１２を有し、両開口はフレーム部品１０の長さ方向を横切る方向にある。しかし、その形状は、例えば長円形のような各椅子又は希望の外見に適合させることができる。
【００１７】
図２に、フレーム部品１０が長手方向側面図で示される。見られるように、フレーム部品の前方端部１３は丸くされた形である。後方端部１４は、説明されるようにフレーム部品の上の後ろ端部の縁に向かって減少して行く厚さを持つ。
【００１８】
図３に、ライニングクリップ２０が断面側面図で示される。ライニングクリップは、上方フランジ２２の助けにより、上方端部で互いに連結された２個の平行な垂直方向の固定用ペグ２１を備える。固定用ペグ２１は、この実施例においては長手方向のピン穴２４が水平方向に通る横方向の下方端部２３の広がりを備える。
【００１９】
図４に、図３のライニングクリップが、上から見た平面図で示され、これにおいては、フランジ２２が固定用ペグ２１の内側に位置側貫通開口２５を備えることが見られる。内側開口２５は、子供用ハーネスのクローチストラップのようなハーネスの一部が通り抜けることを許すようにされる。
【００２０】
図５に、子供用椅子１の座席板２の開口内にライニングクリップ２０をどのように入れるかを示す。ライニングクリップ２０は、フランジ２２が開口の面積より大きい水平方向広がりを有し、座席板の上側のその他の部分が開口の縁を取り囲むようにして座席板の開口に適合される。これにより、ライニングクリップ２０の内側開口２５は、子供用ハーネス１００のクローチストラップ１０１であるハーネス部分を開口２５に通すと同時に座席板２を通して方向付けすることを許す。図６に、ライニングクリップ２０が座席板２の下側から示され、これにおいては固定用ペグ２１の下方端部が座席板２を通って外に突き出る。この図から見られるように、クローチストラップ１０１も、固定用ペグ２１の間で座席板２を通過する。この場合、固定用ペグ２１の外側の垂直方向側面は、座席板２の開口との間に緩みがないように開口の壁に当たる。この実施例においては、固定用ペグ２１の拡大部２３が固定用ペグ２１を導いて、取り付け中、座席板の開口を通過するため互いに幾分か内側に向かって曲げ、そしてペグは座席板２の下側を通過すると外向きに戻る。
【００２１】
図７において、フレーム部品１０は、フレーム部品の中央開口１１を通って方向付けされている固定用ペグ２１により、及び第１の開口１１の下の縁の上でバネ力で出た拡大部２３により、ライニングクリップ２０にしっかりと把持される。第１の開口１１は、取付け用ブラケット内に緩みが無いように原則的に座席板の開口とほぼ同じ寸法を持つ。クローチストラップ１０１も、フレーム部品１０の第１の開口１１を通って導かれる。
【００２２】
フレーム部品１０及びライニングクリップ２０は、金属、プラスチック又は合成材料、好ましくはプラスチックにような比較的剛性のある材料で作られることが好ましい。
【００２３】
クローチストラップ１０１をブラケットに固定するために、フレーム部品１０とライニングクリップ２０とが互いに滑らないように、図８に示されるような固定用ピン３０が使用される。固定用ピン３０は、ピンの横方向部分３２を介して第１の端部において連結された２個の平行なアーム３１を備える。ピンの横方向部分３２上にクローチストラップ１０１を掛け、次いでアーム３１をライニングクリップ２０のピン穴２４に通すことにより、クローチストラップ１０１が座席板２の下側でブラケットに係留され、そしてフレーム部品１０がライニングクリップ２０に固定され、ブラケットは図９に示されるように椅子２の座席にしっかり固定される。クローチストラップ１０１は、ブラケットであるフレーム部品１０には固定されずピンの横方向部分３２の回りに自由に伸び、例えば長さの調節のようなクローチストラップ１０１の調整を可能とすることに注意すべきである。図９に見られるように、フレーム部品１０は取り付けられたときの固定用ピン３０の動きを妨げるための凹所１６を持つ。アーム３１の両端は、停止用の壁を有するフレーム部品１０の凹所１６の深さ内にあるので動きが妨げられる。この実施例においては、固定用ピン３０は、凹所１６内にあるピン穴２４を通して取り付けるときはフレーム部品１０の前端部１３を滑って通過するに十分に曲がり得る可撓性を有するが、ある種の力又は例えば平形ドライバーのような工具の使用なしで曲げられ又は凹所１６から偶然外れることのない十分な剛性を持つように金属で作られる。
【００２４】
図１０は、座席板２の下側でブラケットのフレーム部品１０に係留されたクローチストラップ１０１を介して座席板２に取り付けられた子供用ハーネス１００を示す。図１０から見られるように、縁の開口１２を有するフレーム部品１０の前端部１３は、座席板２の下側から突き出ている。縁の開口１２は、図１１に示されるような子供用の弓形安全具の部品のようなその他のユニットを座席板２に取り付けるために使用することができる。
【００２５】
この実施例においては、ブラケットはトリップトラップ（登録商標）椅子の座席板に合わせられる。ハーネス１００は、座席板２への固定に加えて、更に椅子の背中支持具の少なくも１個の横方向部品４を回って伸びるバックストラップ１０２を有することにより適合される。ハーネスのこの固定により、子供は、伝統的な子供用ハーネスよりもより良好な運動の自由を得るであろう。このようなストラップは子供を傷つけ又は指を挟むことのないストラップである。
【００２６】
従って、本発明は、本発明に従ってブラケットのフレーム部品１０に係留することのできるクローチストラップ１０１と、ストラップ１０２が取り付けられた椅子１の背もたれの少なくも１個の横方向部品４を回って伸びる少なくも１個のストラップ１０２とを有するハーネス１００を備えた子供用椅子のためのハーネスセットを構成する。
【００２７】
更に、本発明は、取付け用ブラケットとハーネスセットの使用を含んでいる。
【００２８】
本発明に従ったブラケットとハーネスセットによる利点は、トリップトラッパ（登録商標）椅子又はその他の椅子のような現存の椅子に、椅子部品のどれかの物理的交換又はネジのような固定用手段を使うことなく、これらフレーム部品やハーネスセットを使用できることである。ブラケットのフレーム部品１０は３個の部品の支援によるだけでしっかりと固定され、ハーネス１００の固定点は、椅子のいかなる機能も損なうことなく、座席板の高さ調整又は深さ調整のような垂直方向及び水平方向の椅子の調整を許す。
【００２９】
ブラケットは、ハーネス及び弓形安全具を、別々に又は一緒に着脱自在に固定する。これにより、幾つかに実際的な解決が提供され、簡単かつ融通性のある方法で種々の異なった使用者に適合した椅子の使用を可能とする。
【００３０】
ブラケット１０及びハーネスセットは、使用後に容易に外すことができ、或いはその使用が必要で無くなったときに別の対応した椅子に移すことができる。
【更なる実施例】
【００３１】
本発明は、ブラケット又はハーネスセットを適合させるために、又はこれらブラケット或いはハーネスセットに更なる機能を与えるために別の特徴を含むようである。
【００３２】
図１及び２に示されるように、フレーム部品１０はフレーム部品の中央部分に関して前端部１３の上側において減少する厚さを持つことができる。このような形状の背景は、座席板２の上面にクッションを取り付け得ることであり、この場合、クッションは、座席板２の前の縁の上に取り付けられた「リップ」により、クッションの前縁全体に沿った「ポケット」を持つことができる。前の縁１３と座席板２との間に空間ができ、かかるクッションを座席板の上に取り付けることを許す。図１及び２に見られるように、フレーム部品１０は上部中央部分から説明された空間内への突起１５を有する。突起１５は、前端部１３が上向き方向の大きすぎる荷重を受けた場合、前方の部品が破損することを防ぐために、座席板の下側に特別な当たり面を提供することである。
【００３３】
追加の実施例において、フレーム部品１０は、縁の開口１２が不必要になった場合、前端部１３を後ろ向きに座席板２の下側に取り付けるように変更することができる。フレーム部品の中央開口の位置に関する後端部１４の長さが前端部１３より短い場合は、後ろ向きの位置にしてフレーム部品の後端部全体を座席板２により隠すことができる。フレーム部品１０の第１の開口１１は垂直方向でかつ対称的な形であるために、フレーム部品１０は２つの方法で取り付けることができる。この実施例においては、座席板に更なる固定点が不要であり、かつこれによってブラケットが子供から外れることに対して保護されるならば、後ろ向き位置が美的で好ましい。
【００３４】
固定用ピン３０の形状は異なった設計を持つことができ、一実施例においてはアーム３１は端部を更に凹所１６内に下げるように垂直方向で曲がることができる。ピンの横方向部分３２又はアーム３１の部分等は、フレーム部品１０の凹所又は壁に適合するように特別の形状を持つことができ、これにより確実な固定が達成され、或いは固定用ピン３０を取り除くためには特別の方法を使用しなければならない。かかる適合区分は、例えば高くされた部分とすることでき、これにより取付け用ブラケット１０を外すときに固定用ピン３０を凹所１６の縁の上で動かすためのドライバー又はプライヤーの導入ができる。提言された実施例においては、固定用ピン３０は１個の連続した部分からなる。固定用ピン３０は、別のピンの横方向部品３２と共に取り付けられた２個の分離したアーム３１を備えることができ、或いはピンの横方向部品の取り付けがフレーム部品１０へのアーム３１の固定を導き出すことができる。
【図面の簡単な説明】
【００３５】
【図１】取付け用ブラケットのフレーム部品の斜視図を示す。
【図２】フレーム部品の側面図を示す。
【図３】取付け用ブラケットのライニングクリップの側面図を示す。
【図４】上方から見たライニングクリップの平面図を示す。
【図５】上方から見た座席板におけるライニングクリップの設置図を示す。
【図６】座席板及びハーネス部品の下側から見たライニングクリップの設置図を示す。
【図７】フレーム部品に取り付けられた図５のライニングクリップを示す。
【図８】ライニングクリップ、フレーム部品及びハーネス部品の間の固定用ピンを有する本発明によるブラケットの設置図を示す。
【図９】図８のブラケットの仕上げられた設置を示す。
【図１０】ハーネス付きの椅子に取り付けられたブラケットの斜視図を示す。
【図１１】ハーネス及び弓形部品付きの椅子に取り付けられたブラケットの斜視図を示す。
【図１】
2009527319.tif 000003
【図２】
2009527319.tif 000004
【図３】
2009527319.tif 000005
【図４】
2009527319.tif 000006
【図５】
2009527319.tif 000007
【図６】
2009527319.tif 000008
【図７】
2009527319.tif 000009
【図８】
2009527319.tif 000010
【図９】
2009527319.tif 000011
【図１０】
2009527319.tif 000012
【図１１】
2009527319.tif 000013
【国際調査報告】
2009527319.tif 000014
2009527319.tif 000015